(57)【要約】【課題】複数本の配管を縦置きに設置することで、設置スペースを従来の約半分にまで省くことが可能になり、しかも、各種配管の各種サイズに適応してサイズの変更があっても確実に固定することができる配管縦型固定金具を提供する。【解決手段】架台Ｑの長手方向に対して略直交するように架台Ｑに載置される二本の配管Ｐ１、Ｐ２を一組として架台Ｑに固定する固定金具を形成する。配管Ｐ１、Ｐ２の側面を挟着せしめる一対の帯状金具１を形成する。該帯状金具１の下端部に架台Ｑに連結せしめる連結端部２を形成する。該帯状金具１の略中央部に連結切欠部３を形成する。該連結切欠部３にて一対の帯状金具１を組み合わせたときに生じる上下の枠を夫々下部管支持枠４と上部管支持枠５として形成する。これら下部管支持枠４と上部管支持枠５にて同径又は異径の配管Ｐ１、Ｐ２を同時に挟着固定するように設ける。【選択図】  図１
2011149449.tif 000002
【特許請求の範囲】
【請求項１】
架台の長手方向に対して略直交するように架台に載置される二本の配管を上下一組として架台に固定する固定金具であって、
配管の側面を挟着せしめる一対の帯状金具を形成し、該帯状金具の下端部に、架台に連結せしめる連結端部を形成すると共に、該帯状金具の略中央部に連結切欠部を形成し、
該連結切欠部にて一対の帯状金具を交差するように組み合わせたときに生じる上下の枠を夫々下部管支持枠と上部管支持枠として形成し、
これら下部管支持枠と上部管支持枠にて同径又は異径の配管を同時に挟着固定するように設けたことを特徴とする配管縦型固定金具。
【請求項２】
前記連結切欠部は、前記連結端部を手前にして前記帯状金具を上から見たときに該帯状金具の右側縁に沿って矩形状に形成され、該連結切欠部相互の交差位置をスライド移動することで上下の配管の径に対応自在とした請求項１記載の配管縦型固定金具。
【請求項３】
前記連結端部は、前記帯状金具の下端部から略水平に屈曲された固定片が形成され、該固定片に連結ボルトを挿通せしめるボルト挿通孔を開穿し、該ボルト挿通孔を通した連結ボルトにて前記架台に固定するように構成した請求項１又は２記載の配管縦型固定金具。
【請求項４】
前記帯状金具において、前記下部管支持枠を形成する位置に、前記連結端部から上方に向けて立ち上がる起立片と、該起立片から上方に延長され下部に位置する前記配管に沿って屈曲される側片と、該側片から前記配管の上方に延長され、且つ前記連結切欠部を形成する連結片とを形成した請求項１乃至３いずれか記載の配管縦型固定金具。
【請求項５】
前記帯状金具において、前記上部管支持枠を形成する位置に、前記連結片の端部から斜め上方に向けて立ち上がる上部起立片と、該上部起立片から上方に延長され上部に位置する前記配管側に屈曲される側片と、該側片から延長され前記配管方向に屈曲される上端片とを形成した請求項１乃至４いずれか記載の配管縦型固定金具。
【請求項６】
架台の長手方向に対して略直交するように架台に載置される三本の配管を上下に重ねて一組として架台に固定する固定金具であって、
配管の側面を挟着せしめる一対の帯状金具を形成し、
該帯状金具の下端部に、架台に連結せしめる連結端部を形成すると共に、該帯状金具の略中央部に連結切欠部を形成し、
該連結切欠部にて一対の帯状金具を交差するように組み合わせたときに生じる上下の枠を夫々下部管支持枠と上部管支持枠として形成し、
該上部管支持枠の上に更に最上部支持枠を形成する最上端片を各帯状金具の上端部から延長し、
これら下部管支持枠と上部管支持枠と最上部支持枠とで、同径又は異径の配管を同時に挟着固定するように設けたことを特徴とする配管縦型固定金具。
【発明の詳細な説明】
【技術分野】
【０００１】
本発明は、例えば空調機等でガス管や液管として使用される複数本の断熱被覆銅管を縦置きに設置することが可能な配管縦型固定金具に関する。
【背景技術】
【０００２】
各建築現場において、例えば空調設備工事を行う際、室外機を屋上若しくは屋外に設置すると共に、室内機を各フロアーの各室内に設置し、冷媒配管にて室外機と室内機を接続し空調設備を完成させる。
【０００３】
一般的には、屋上に設置してある室外機からハト小屋と称する配管立ち上がりスペースを通して建物の中に冷媒配管を設置する。但し、一般冷媒管は耐候性に優れていないので屋外では冷媒ダクトや冷媒ラックなどの保護カバーの中に布設した状態で施工している。
【０００４】
冷媒管の中には、耐候性に優れた表皮層を有し、屋外でも保護カバーが不要な特殊な冷媒配管もあるが、このような冷媒配管には、門型架台などに固定する手段がなく、現状はＵボルトや吊りバンドで支持固定している。ところが、Ｕボルトや吊りバンドは、このような冷媒配管を固定する専用金具ではなく、配管サイズが合わない場合には緩みが生じるなど確実に固定することができず、あるいは、無理な力が加わると断熱被覆が潰れてしまう場合もある。
【０００５】
このような空調機のガス管や液管として使用される異径の断熱被覆銅管を固定する手段として、例えば特許文献１に記載されている長尺体支持具がある。この支持具によると、チャンネル材の上に横並びに配置し、段差が生じた管側面を、この段差に合わせた当接支持部で押さえながらチャンネル材に固定するものである。
【０００６】
また、特許文献２に記載の如く、チャンネル材の上に横並びに配置した２本の断熱被覆銅管の側面を配管固定用バンドでチャンネル材に固定する手段もある。
【０００７】
このように、空調機のガス管や液管として使用される異径の断熱被覆銅管等は、いずれも、チャンネル材やアングル材等の上に横並びに固定することで設置されているものである。
【０００８】
一方、特許文献３には、チャンネル材の開口部上に上下に配置した２本の断熱被覆銅管をひとまとめにして固定する断熱配管用固定金具が記載されている。この固定金具は、チャンネル材の上に載置した大径の断熱被覆銅管の上に小径の断熱被覆銅管を直接載置し、小径の断熱被覆銅管がわから大径の断熱被覆銅管方向に押圧付勢する操作ボルトで２本の断熱被覆銅管をチャンネル材に圧着しながら、チャンネル材に固定したフレームでこれらの断熱被覆銅管を固定するものである。
【先行技術文献】
【特許文献】
【０００９】
【特許文献１】特開平１１‐１９０４６４号公報
【特許文献２】特開平１１‐２２３２８０号公報
【特許文献３】特公平８‐６８４４号公報
【発明の概要】
【発明が解決しようとする課題】
【００１０】
特許文献１、２に記載された従来の固定手段によると、断熱被覆銅管はチャンネル材やアングル材に対して横並びに２本ずつ配設されるので、ビルや工場などのように、多数の空調機の配管をまとめて固定する場合に、多数の断熱被覆銅管がチャンネル材やアングル材に対して横に広がる配設工事になり、極めて広い配管スペースが必要になっていた。
【００１１】
しかも、断熱被覆銅管を屋外に設置するなど、天候や鳥類などから保護する必要がある場所では、横並びに配管した複数本の断熱被覆銅管に化粧ダクトなどの保護カバーを装着する必要があるので、このような場所では更に多くの配管スペースが必要になっていた。
【００１２】
一方、特許文献３に記載されている固定手段によると、大径の断熱被覆銅管の上に小径の断熱被覆銅管を直接載置し、これらの側面を圧着固定するものであるから、各管の断熱被覆層が潰れて変形する不都合がある。特に、断熱被覆層は、発泡樹脂などの断熱材が用いられているので極めて柔軟性があり、側面から圧着して固定すると各断熱被覆は潰れて大きな変形が生じることになる。
【００１３】
ところが、このように断熱被覆層が変形すると、銅管の断熱効果に偏りが生じることになる。そうすると、変形した箇所に結露が生じ、この結露が水滴となって各種機材の不具合をもたらすおそれがあった。特許文献３では、断熱被覆銅管の外側に配管ユニット等の保護カバーを装着する構成なので、水滴等が発生してもこれらの不具合を防止する構成になっている。しかしながら、この種の保護カバーを装着するには、極めて広い配管スペースや多くの配管作業等が必要になる。
【００１４】
そこで本発明は、上述の課題を解消するために創出されたもので、例えば空調機で使用されるガス管や液管として使用される複数本の断熱被覆銅管を縦置きに設置することで、設置スペースを従来の約半分にまで省くことが可能になり、しかも、各種配管のサイズに多少の変更があっても適応可能となり、各種配管を確実に固定することができる配管縦型固定金具の提供を目的とするものである。
【課題を解決するための手段】
【００１５】
上述の目的を達成すべく本発明における第１の手段は、架台Ｑの長手方向に対して略直交するように架台Ｑに載置される二本の配管Ｐ１、Ｐ２を上下一組として架台Ｑに固定する固定金具であって、配管Ｐ１、Ｐ２の側面を挟着せしめる一対の帯状金具１を形成し、該帯状金具１の下端部に、架台Ｑに連結せしめる連結端部２を形成すると共に、該帯状金具１の略中央部に連結切欠部３を形成し、該連結切欠部３にて一対の帯状金具１を交差するように組み合わせたときに生じる上下の枠を夫々下部管支持枠４と上部管支持枠５として形成し、これら下部管支持枠４と上部管支持枠５にて同径又は異径の配管Ｐ１、Ｐ２を同時に挟着固定するように設けたことにある。
【００１６】
第２の手段において、前記連結切欠部３は、前記連結端部２を手前にして前記帯状金具１を上から見たときに該帯状金具１の右側縁に沿って矩形状に形成され、該連結切欠部３相互の交差位置をスライド移動することで上下の配管Ｐ１、Ｐ２の径に対応自在としたことにある。
【００１７】
第３の手段の前記連結端部２は、前記帯状金具１の下端部から略水平に屈曲された固定片２Ａが形成され、該固定片２Ａに連結ボルトＲを挿通せしめるボルト挿通孔２Ｂを開穿し、該ボルト挿通孔２Ｂを通した連結ボルトＲにて前記架台Ｑに固定するように構成したものである。
【００１８】
第４の手段は、前記帯状金具１において、前記下部管支持枠４を形成する位置に、前記連結端部２から上方に向けて立ち上がる起立片１Ａと、該起立片１Ａから上方に延長され前記配管Ｐ１に沿って屈曲される側片１Ｂと、該側片１Ｂから前記配管Ｐ１の上方に延長され、且つ前記連結切欠部３を形成する連結片１Ｃとを形成している。
【００１９】
第５の手段は、前記帯状金具１において、前記上部管支持枠５を形成する位置に、前記連結片１Ｃの端部から斜め上方に向けて立ち上がる上部起立片１Ｄと、該上部起立片１Ｄから上方に前記配管Ｐ２側に屈曲される側片１Ｅと、該側片１Ｅから延長され前記配管Ｐ２方向に屈曲される上端片１Ｆとを形成したことにある。
【００２０】
第６の手段は、架台Ｑの長手方向に対して略直交するように架台Ｑに載置される三本の配管Ｐ１、Ｐ２、Ｐ３を上下に重ねて一組として架台Ｑに固定する固定金具であって、配管Ｐ１、Ｐ２、Ｐ３の側面を挟着せしめる一対の帯状金具１を形成し、該帯状金具１の下端部に、架台Ｑに連結せしめる連結端部２を形成すると共に、該帯状金具１の略中央部に連結切欠部３を形成し、該連結切欠部３にて一対の帯状金具１を交差するように組み合わせたときに生じる上下の枠を夫々下部管支持枠４と上部管支持枠５として形成し、該上部管支持枠５の上に更に最上部支持枠６を形成する最上端片１Ｇを各帯状金具１の上端部から延長し、これら下部管支持枠４と上部管支持枠５と最上部支持枠６とで、同径又は異径の配管Ｐ１、Ｐ２、Ｐ３を同時に挟着固定するように設けたことを課題解消のための手段とする。
【発明の効果】
【００２１】
本発明の請求項１によると、下部管支持枠４と上部管支持枠５にて同径又は異径の配管Ｐ１、Ｐ２を同時に挟着固定するように設けたことにより、例えば空調機で使用されるガス管や液管の如く横並びに固定する従来の設置スペースを従来の約半分にまで少なくすることができる。
【００２２】
しかも、帯状金具１の略中央部に連結切欠部３を形成し、該連結切欠部３にて一対の帯状金具１を組み合わせたときに生じる上下の枠を夫々下部管支持枠４と上部管支持枠５として形成しているので、固定金具としての構成が極めて単純化され、装着作業はもとより、製造、移送、収納等の各作業を極めて効率的に行える。
【００２３】
請求項２によると、連結切欠部３は矩形状に形成されているので、該連結切欠部３の交差位置を、この連結切欠部３に沿ってスライド移動することで上下の配管Ｐ１、Ｐ２の径に対応自在となっている。この結果、各種配管の各種サイズに適応するので、配管Ｐ１、Ｐ２のサイズに多少の変更があっても確実に固定することができるものである。
【００２４】
また、前記連結切欠部３は、前記連結端部２を手前にして前記帯状金具１を上から見たときに該帯状金具１の右側縁に沿って形成されているので、前記ボルト挿通孔２Ｂに挿通した連結ボルトＲを締め付けると、この締め付け操作に伴って互いの連結切欠部３が緊締する作用が生じ、装着作業を更に合理化することに成功した。
【００２５】
請求項３に記載の連結端部２により、連結ボルトＲにて架台Ｑに固定するように構成しているから、この架台Ｑがチャンネル材やアングル材などであっても、連結ボルトＲを介して容易に固定することができるものである。
【００２６】
請求項４、５によると、上下に固定される配管Ｐ１、Ｐ２は、連結切欠部３を介して相対的にサイズの変更が可能な下部管支持枠４や上部管支持枠５に挟着されるので、各種配管の各種サイズに適応してサイズの変更があっても確実に固定することができるものである。
【００２７】
しかも、下部管支持枠４や上部管支持枠５の挟着作用は、配管Ｐ１、Ｐ２の側面を常に最適な挟着力で固定するものであるから、従来のＵボルトや吊りバンドの如く、サイズが合わずに緩んだり過度な緊締力で傷を付けたりするといった不都合もない。この結果、径の異なった断熱被覆銅管Ｐを自由に組み合わせることも可能になる。
【００２８】
更に請求項６によると、上下に３本もの配管Ｐ１、Ｐ２、Ｐ３を同時に挟着固定することが可能になり、より多くの配管状況に対応することができる。
【図面の簡単な説明】
【００２９】
【図１】本発明の一実施例を示す使用斜視図である。
【図２】本発明の一実施例を示す使用正面図である。
【図３】本発明の一実施例を示す分解斜視図である。
【図４】本発明の帯状金具の一実施例を示す側面図である。
【図５】本発明の帯状金具の一実施例を示す正面図である。
【図６】本発明の帯状金具を組み合わせた状態を示す側面図である。
【図７】本発明の連結端部を連結ボルトで緊締する状態を示す平面図である。
【図８】本発明の帯状金具を組み合わせた状態を示す平面図である。
【図９】本発明を装着する他の架台を示す側面図である。
【図１０】本発明の他の実施例を示す側面図である。
【発明を実施するための形態】
【００３０】
本発明によると、例えば空調機で使用されるガス管や液管として使用される複数の断熱被覆銅管を縦置きに設置することで、設置スペースを従来の約半分にまで省くことが可能になり、しかも、各種配管の各種サイズに適応してサイズの変更があっても確実に固定することができるといった当初の目的を達成した。
【実施例１】
【００３１】
以下、本発明の実施例を説明する。本発明固定金具は、例えば断熱被覆銅管Ｐを架台Ｑに固定する金具として使用され、帯状鋼板１０にて形成された一対の帯状金具１と、該帯状金具１を架台Ｑに連結する連結ボルトＲで構成する（図１参照）。
【００３２】
図示例の断熱被覆銅管Ｐは、主に空調機でガス管や液管として使用されるもので、銅管Ａに断熱層Ｂを巻き付け、更に断熱層Ｂを耐候性の被覆材Ｓにて被覆したものである。そして、大径の断熱被覆銅管Ｐ１と小径の断熱被覆銅管Ｐ２との２本の断熱被覆銅管Ｐを一組とし、架台Ｑの長手方向に対して略直交するように架台Ｑに載置固定されている（図１参照）。
【００３３】
また、図示例の架台Ｑは、所謂、断面リップ溝形鋼と称する鋼材で、開口部Ｑ１の内側にリップ部Ｑ２を有し、開口部Ｑ１に載置した断熱被覆銅管Ｐを、リップ部Ｑ２に係止するナットＴで固定するものである（図３参照）。
【００３４】
帯状金具１は、配管Ｐ１、Ｐ２の側面を挟着せしめる部材で、一対の帯状金具１を交差するように組み合わせて使用する（図２参照）。帯状金具１の下端部には、架台Ｑに連結せしめる連結端部２を形成し、この連結端部２を介して帯状金具１と架台Ｑとを連結する。
【００３５】
連結端部２は、帯状金具１の下端部から略水平に屈曲された固定片２Ａと、該固定片２Ａに連結ボルトＲを挿通せしめるボルト挿通孔２Ｂにて構成する。そして、ボルト挿通孔２Ｂを通した連結ボルトＲにて架台Ｑにネジ止め固定するものである。
【００３６】
連結切欠部３は、帯状金具１の略中央部に形成されており、該連結切欠部３にて一対の帯状金具１を組み合わせたときに生じる上下の枠を夫々下部管支持枠４と上部管支持枠５として形成する（図２参照）。そして、これら下部管支持枠４と上部管支持枠５にて同径又は異径の配管Ｐ１、Ｐ２を同時に挟着固定するものである。
【００３７】
この連結切欠部３は、帯状金具１の長手側縁に沿った片側、すなわち連結端部２を手前にして帯状金具１を上から見たときに該帯状金具１の右側縁に沿って矩形状に形成されている（図７参照）。連結切欠部３を矩形状に形成することで、連結切欠部３の交差位置をスライドすることが可能になる。そうすると、下部管支持枠４と上部管支持枠５との径も自在に変更するので、上下の配管Ｐ１、Ｐ２の径に対応自在となる（図６参照）。
【００３８】
また、前記連結端部２を手前にして前記帯状金具１を上から見たときに該帯状金具１の右側縁に沿って連結切欠部３を形成することで、ボルト挿通孔２Ｂに挿通した連結ボルトＲの締付けに伴って互いの連結切欠部３が緊締するものである（図７、図８参照）。
【００３９】
帯状金具１において、下部管支持枠４を形成する位置には、起立片１Ａ、側片１Ｂ、連結片１Ｃが形成されている（図５参照）。
【００４０】
起立片１Ａは、連結端部２から上方に向けて立ち上がる部分に形成されている（図４参照）。図示例では、連結端部２の固定片２Ａと、この起立片１Ａとで成す角度aを８０゜に設定している。また、側片１Ｂは、起立片１Ａから上方に延長され、下部に位置する前記配管Ｐ１の側面に接するように屈曲されている。更に、起立片１Ａと側片１Ｂとで成す角度bを４０゜〜５０゜に設定している。
【００４１】
連結片１Ｃは、連結切欠部３を形成する位置に形成した部分で、側片１Ｂから斜め上方に延長されている。一対の連結片１Ｃの連結切欠部３を組み合わせることで、側面略Ｘ字状に連結されるものである（図２参照）。図示例では、側片１Ｂと連結片１Ｃとで成す角度ｃを２５゜〜３５゜に設定している（図４参照）。
【００４２】
一方、帯状金具１において、上部管支持枠５を形成する位置には、上部起立片１Ｄ、側片１Ｅ、上端片１Ｆが形成されている（図５参照）。
【００４３】
すなわち、上部起立片１Ｄは、連結片１Ｃの端部から斜め上方に向けて立ち上がるように形成されている（図４参照）。図示例では、連結片１Ｃと上部起立片１Ｄとで成す角度dを２５゜〜３５゜に設定している。更に、側片１Ｅは、上部起立片１Ｄから上方に延長され上部に位置する前記配管Ｐ２の側面に接するように屈曲されている。また、上部起立片１Ｄと側片１Ｅとで成す角度eを４０゜〜５０゜に設定している。そして、上端片１Ｆは、側片１Ｅから延長され上部の配管Ｐ２方向に屈曲され、側片１Ｅと上端片１Ｆとで成す角度fを２５゜〜３５゜に設定している。
【００４４】
このように、帯状金具１の下部管支持枠４と上部管支持枠５とを形成することで、例えば空調機にて使用される径の異なった断熱被覆銅管Ｐを自由に組み合わせることが可能になる（図６参照）。
【実施例２】
【００４５】
図１０は、三本の配管Ｐ１、Ｐ２、Ｐ３を上下に重ねて一組として架台Ｑに固定する固定金具を示している。この実施例では、配管Ｐ１、Ｐ２、Ｐ３の側面を挟着せしめる一対の帯状金具１を形成したもので、以下の構成は、前記実施例１と同じ構成である。すなわち、帯状金具１の下端部に、架台Ｑに連結せしめる連結端部２を形成すると共に、該帯状金具１の略中央部に連結切欠部３を形成し、該連結切欠部３にて一対の帯状金具１を交差するように組み合わせたときに生じる上下の枠を夫々下部管支持枠４と上部管支持枠５として形成している構成である。
【００４６】
この実施例では、上部管支持枠５の上に更に最上部支持枠６を形成する最上端片１Ｇを各帯状金具１の上端部から延長したものである。そして、これら下部管支持枠４と上部管支持枠５と最上部支持枠６とで、同径又は異径の配管Ｐ１、Ｐ２、Ｐ３を同時に挟着固定する（図１０参照）。このとき、最上端片１Ｇは、最上位の配管Ｐ３の側面に沿って屈曲されているが、最上端片１Ｇ相互は離れた位置に形成されている。したがって、最上部支持枠６は、上部管支持枠５と共に開閉するように設けられている。
【００４７】
帯状金具１は、連結端部２にて架台Ｑ上に載置固定する。図３ではリップ溝型鋼を架台Ｑとし、帯状金具１の下端部に形成した連結端部２を架台Ｑのリップ部Ｑ２内に係止している。また、架台Ｑは、図９に示すＬ型鋼の如く、他の部材でもよい。
【産業上の利用可能性】
【００４８】
本発明の固定金具は、空調機にて使用される径の異なった断熱被覆銅管Ｐ以外にも、塩ビ管、電線管、水道管、ガス管など、複数本の配管を上下に設置固定するあらゆる状況で使用可能になる。また、本発明の構成は図示例に限定されるものではなく、本発明の要旨を変更しない範囲で自由な設計変更が可能である。
【符号の説明】
【００４９】
Ａ  銅管
Ｂ  断熱層
Ｓ  被覆材
Ｔ  ナット
Ｐ  配管
Ｐ１  配管
Ｐ２  配管
Ｐ３  配管
Ｑ  架台
Ｑ１  開口部
Ｑ２  リップ部
Ｒ  連結ボルト
１  帯状金具
１Ａ  起立片
１Ｂ  側片
１Ｃ  連結片
１Ｄ  上部起立片
１Ｅ  側片
１Ｆ  上端片
１Ｇ  最上端片
２  連結端部
２Ａ  固定片
２Ｂ  ボルト挿通孔
３  連結切欠部
４  下部管支持枠
５  上部管支持枠
６  最上部管支持枠
【図１】
2011149449.tif 000003
【図２】
2011149449.tif 000004
【図３】
2011149449.tif 000005
【図４】
2011149449.tif 000006
【図５】
2011149449.tif 000007
【図６】
2011149449.tif 000008
【図７】
2011149449.tif 000009
【図８】
2011149449.tif 000010
【図９】
2011149449.tif 000011
【図１０】
2011149449.tif 000012